(57)【要約】【課題】本発明は筆記シート上に描画された描画情報の利用性を向上させた電子黒板装置を提供する。【解決手段】電子黒板装置１は、記録装置標準インターフェイス８に会議の目的や描画情報の利用目的等に適した記録装置１０が接続され、筆記シート３上に文字や図形等の描画情報が描かれる。電子黒板装置１は、記録出力が操作パネル９で操作されると、駆動部４により筆記シート３をイメージセンサ５に搬送して、イメージセンサ５で筆記シート３の描画情報を読み取って画像処理部６に出力し、画像処理部６で２値画像データに変換して制御部２に出力する。制御部２は２値画像データを必要に応じて記憶部７に記憶し、記録装置標準インターフェイス８を介して記録装置１０に当該記録装置１０に対応した記録命令とともに出力して、記録装置１０に描画情報を記録出力させる。したがって、電子黒板装置１の利用目的等に適した記録装置１０に描画情報を記録させることがでる。【選択図】        図１
2007043748.tif 000002
【特許請求の範囲】
【請求項１】
所定の筆記シート上に消去可能に描画された描画情報を読取手段により読取可能な電子黒板装置において、前記電子黒板装置に通常の記録装置を着脱可能に接続する記録装置インターフェイスと、前記読取手段の読み取った前記描画情報を前記記録装置インターフェイスに接続された前記記録装置で記録出力させるのに必要な各種制御処理を行う制御手段と、を備えたことを特徴とする電子黒板装置。
【請求項２】
操作手段からの操作に応じて、搬送可能で描画情報が消去可能に記載される筆記シートを搬送する搬送動作、当該筆記シート上の描画情報を所定の読取手段に読み取らせる読取動作、当該筆記シート上の描画情報を消去する消去動作等の各種動作処理を行う電子黒板装置において、コンピュータが接続可能なコンピュータインターフェイスと、当該コンピュータインターフェイスに接続された前記コンピュータとの間で所定のコマンドを交換して、前記コンピュータからのコマンドに応じて前記電子黒板装置の備えている前記各種処理動作を制御する制御手段と、を備えたことを特徴とする電子黒板装置。
【請求項３】
前記コンピュータは、所定の記録装置が接続され、前記制御手段は、前記操作手段からの操作あるいは前記コンピュータインターフェイスに接続された前記コンピュータからのコマンドに応じて、前記コンピュータに接続された前記記録装置で記録出力させるのに必要な各種制御処理を行って、前記読取手段の読み取った前記描画情報を前記コンピュータに接続された前記記録装置に転送して、当該記録装置で前記描画情報を記録出力させることを特徴とする請求項２記載の電子黒板装置。
【請求項４】
前記電子黒板装置は、前記読取手段の読み取った前記描画情報を前記コンピュータで編集可能なデータ形式に変換するデータ形式変換手段をさらに備え、前記制御手段は、前記操作手段からの操作あるいは前記コンピュータからコマンドに応じて、前記データ形式変換手段に前記読取手段の読み取った前記描画情報を前記コンピュータで編集可能なデータ形式に変換させた後、前記コンピュータに転送することを特徴とする請求項２または請求項３記載の電子黒板装置。
【請求項５】
操作手段からの操作に応じて、搬送可能で描画情報が消去可能に記載される筆記シートを搬送する搬送動作、当該筆記シート上の描画情報を所定の読取手段に読み取らせる読取動作、当該筆記シート上の描画情報を消去する消去動作等の各種動作処理を行う電子黒板装置において、前記電子黒板装置をネットワークに接続するネットワークインターフェイスと、当該ネットワークに接続されたネットワーク端末との間で所定のコマンドを交換して、当該ネットワーク端末との間でデータの交換を行う制御手段と、を備えたことを特徴とする電子黒板装置。
【請求項６】
前記制御手段は、前記ネットワークに接続された前記ネットワーク端末との間で所定のコマンドを交換して、当該ネットワーク端末からのコマンドに応じて前記電子黒板装置の備えている前記各種処理動作を制御することを特徴とする請求項５記載の電子黒板装置。
【請求項７】
前記ネットワークには、所定の記録装置が接続され、前記制御手段は、前記操作手段からの操作あるいは前記ネットワークに接続された前記ネットワーク端末からのコマンドに応じて、前記ネットワークに接続された前記記録装置で前記描画情報を記録出力させるのに必要な各種制御処理を行って、前記読取手段の読み取った前記描画情報を前記ネットワークに接続された前記記録装置に転送して、当該記録装置で前記描画情報を記録出力させることを特徴とする請求項５または請求項６記載の電子黒板装置。
【発明の詳細な説明】
【技術分野】
【０００１】
本発明は、電子黒板装置に関し、詳細には、筆記シート上に描画された描画情報の利用性を向上させることのできる電子黒板装置に関する。
【背景技術】
【０００２】
従来、電子黒板装置は、図７に示すように構成されて、それ自体独立したスタンドアロン型の装置となっていた。すなわち、従来の電子黒板装置１００は、制御部１０１、筆記シート１０２、駆動部１０３、イメージセンサ１０４、画像処理部１０５、記憶部１０６、記録部１０７及び操作パネル１０８等を備えており、筆記シート１０２上に筆記ペン等により文字や図形等の書画情報（描画情報）が描画される。電子黒板装置１００は、操作パネル１０８の操作に応じて制御部１０１の制御下で種々の動作、例えば、駆動部１０３により筆記シート１０２を移動させて、筆記シート１０２上の描画情報を上下方向あるいは左右方向に移動させたり、筆記シート１０２を移動させつつ図示しない消去機構により筆記シート１０２上に描かれた描画情報を消去する。そして、電子黒板装置１００は、操作パネル１０８で記録指示操作が行われると、制御部１０１の制御下で、駆動部１０３を移動させて、筆記シート１０２上の描画情報がイメージセンサ１０４の位置にくると、イメージセンサ１０４により筆記シート１０２上の描画情報をアナログの電気信号に変換させて、画像処理部１０５に出力させる。制御部１０１は、画像処理部１０５に、アナログの電気信号を白黒２値のデジタル画信号（２値画像データ）に変換させ、必要に応じて記憶部１０６に記憶させるとともに、記録部１０７に転送して、記録部１０７により記録紙に記録出力させる。この記録部１０７としては、一般に、感熱式記録装置が用いられている。
【０００３】
そして、従来、コンピュータ装置からの文字データや図形データをプリンタ装置でスクリーン上に印字し、スクリーン上に印字されたり、追記された記載内容をコンピュータ装置にコンピュータ装置のデータとして出力する電子黒板装置が提案されている。
【特許文献１】特開平８−２３４９１２号公報
【発明の開示】
【発明が解決しようとする課題】
【０００４】
しかしながら、このような従来の電子黒板装置にあっては、電子黒板装置の筆記シート上に描画された描画情報の利用性を向上させる上で、なお、改良の必要があった。
【０００５】
すなわち、従来の電子黒板装置にあっては、筆記シート上に描かれた描画情報は、電子黒板装置に固定的に取り付けられた記録部である感熱式記録装置で感熱紙に記録出力するようになっていたため、描画情報の用途によっては、感熱紙に記録された内容を複写機等により普通紙に記録し直す必要があり、電子黒板装置の利用性が悪いという問題があった。また、従来の電子黒板装置は、特開平８−２３４９１２号公報記載のコンピュータ装置に接続された電子黒板装置であっても、その操作を操作パネルでのみ行うようになっていたため、操作性が悪いという問題があった。
【０００６】
そこで、請求項１記載の発明は、記録装置インターフェイスを介して、通常の記録装置を着脱可能に接続し、読取手段の読み取った筆記シート上の描画情報を記録装置インターフェイスに接続された記録装置で記録出力させることにより、電子黒板装置の利用目的や記録した描画情報の用途等に応じて適切な市販の記録装置を接続して、描画情報を記録させ、安価でかつ利用性の良好な電子黒板装置を提供することを目的としている。
【０００７】
請求項２記載の発明は、コンピュータインターフェイスに接続されたコンピュータからのコマンドに応じて電子黒板装置の備えている各種処理動作を制御することにより、いちいち電子黒板装置のところまで行かなくても電子黒板装置に接続されたコンピュータから電子黒板装置の動作を制御し、電子黒板装置の機能を拡張させるとともに、利用性を向上させることのできる電子黒板装置を提供することを目的としている。
【０００８】
請求項３記載の発明は、電子黒板装置の操作手段からの操作あるいはコンピュータインターフェイスに接続されたコンピュータからのコマンドに応じて、読取手段の読み取った描画情報をコンピュータに接続された記録装置で記録出力することにより、電子黒板装置の利用目的や記録した描画情報の用途等に応じてコンピュータに接続された適切な記録装置を利用して、描画情報を記録させ、安価でかつ利用性のより一層良好な電子黒板装置を提供することを目的としている。
【０００９】
請求項４記載の発明は、操作手段からの操作あるいはコンピュータからコマンドに応じて、読取手段の読み取った描画情報をコンピュータで編集可能なデータ形式に変換した後、コンピュータに転送することにより、電子黒板装置に記載された描画情報を議事録としての書式に合わせたり、必要な記述を追記できるようにし、利用性のより一層良好な電子黒板装置を提供することを目的としている。
【００１０】
請求項５記載の発明は、ネットワークインターフェイスによりネットワークに接続されたネットワーク端末との間で所定のコマンドを交換して、ネットワーク端末との間でデータの交換を行うことにより、電子黒板装置の機能を拡張して、利用性を向上させることのできる電子黒板装置を提供することを目的としている。
【００１１】
請求項６記載の発明は、ネットワークに接続されたネットワーク端末との間で所定のコマンドを交換して、当該ネットワーク端末からのコマンドに応じて電子黒板装置の備えている各種処理動作を制御することにより、いちいち電子黒板装置のところまで行かなくてもネットワークを介して電子黒板装置に接続されたネットワーク端末から電子黒板装置の動作を制御し、電子黒板装置の機能を拡張させるとともに、利用性を向上させることのできる電子黒板装置を提供することを目的としている。
【００１２】
請求項７記載の発明は、操作手段からの操作あるいはネットワークに接続されたネットワーク端末からのコマンドに応じて、読取手段の読み取った描画情報をネットワークに接続された記録装置に転送して、当該記録装置で描画情報を記録出力させることにより、電子黒板装置の利用目的や記録した描画情報の用途等に応じてネットワークに接続された適切な記録装置を利用して、描画情報を記録し、安価でかつ利用性のより一層良好な電子黒板装置を提供することを目的としている。
【課題を解決するための手段】
【００１３】
請求項１記載の発明の電子黒板装置は、所定の筆記シート上に消去可能に描画された描画情報を読取手段により読取可能な電子黒板装置において、前記電子黒板装置に通常の記録装置を着脱可能に接続する記録装置インターフェイスと、前記読取手段の読み取った前記描画情報を前記記録装置インターフェイスに接続された前記記録装置で記録出力させるのに必要な各種制御処理を行う制御手段と、を備えることにより、上記目的を達成している。
【００１４】
上記構成によれば、記録装置インターフェイスを介して、通常の記録装置を着脱可能に接続し、読取手段の読み取った筆記シート上の描画情報を記録装置インターフェイスに接続された記録装置で記録出力させるので、電子黒板装置の利用目的や記録した描画情報の用途等に応じて適切な市販の記録装置を接続して、描画情報を記録させることができ、電子黒板装置を安価でかつ利用性の良好なものとすることができる。
【００１５】
請求項２記載の発明の電子黒板装置は、操作手段からの操作に応じて、搬送可能で描画情報が消去可能に記載される筆記シートを搬送する搬送動作、当該筆記シート上の描画情報を所定の読取手段に読み取らせる読取動作、当該筆記シート上の描画情報を消去する消去動作等の各種動作処理を行う電子黒板装置において、コンピュータが接続可能なコンピュータインターフェイスと、当該コンピュータインターフェイスに接続された前記コンピュータとの間で所定のコマンドを交換して、前記コンピュータからのコマンドに応じて前記電子黒板装置の備えている前記各種処理動作を制御する制御手段と、を備えることにより、上記目的を達成している。
【００１６】
上記構成によれば、コンピュータインターフェイスに接続されたコンピュータからのコマンドに応じて電子黒板装置の備えている各種処理動作を制御するので、いちいち電子黒板装置のところまで行かなくても電子黒板装置に接続されたコンピュータから電子黒板装置の動作を制御することができ、電子黒板装置の機能を拡張させることができるとともに、電子黒板装置の利用性を向上させることができる。
【００１７】
この場合、例えば、請求項３に記載するように、前記コンピュータは、所定の記録装置が接続され、前記制御手段は、前記操作手段からの操作あるいは前記コンピュータインターフェイスに接続された前記コンピュータからのコマンドに応じて、前記コンピュータに接続された前記記録装置で記録出力させるのに必要な各種制御処理を行って、前記読取手段の読み取った前記描画情報を前記コンピュータに接続された前記記録装置に転送して、当該記録装置で前記描画情報を記録出力させるものであってもよい。
【００１８】
上記構成によれば、電子黒板装置の操作手段からの操作あるいはコンピュータインターフェイスに接続されたコンピュータからのコマンドに応じて、読取手段の読み取った描画情報をコンピュータに接続された記録装置で記録出力するので、電子黒板装置の利用目的や記録した描画情報の用途等に応じてコンピュータに接続された適切な記録装置を利用して、描画情報を記録させることができ、電子黒板装置を安価でかつ利用性のより一層良好なものとすることができる。
【００１９】
また、例えば、請求項４に記載するように、前記電子黒板装置は、前記読取手段の読み取った前記描画情報を前記コンピュータで編集可能なデータ形式に変換するデータ形式変換手段をさらに備え、前記制御手段は、前記操作手段からの操作あるいは前記コンピュータからコマンドに応じて、前記データ形式変換手段に前記読取手段の読み取った前記描画情報を前記コンピュータで編集可能なデータ形式に変換させた後、前記コンピュータに転送するものであってもよい。
【００２０】
上記構成によれば、操作手段からの操作あるいはコンピュータからコマンドに応じて、読取手段の読み取った描画情報をコンピュータで編集可能なデータ形式に変換した後、コンピュータに転送するので、電子黒板装置に記載された描画情報を議事録としての書式に合わせたり、必要な記述を追記することができ、電子黒板装置の利用性をより一層向上させることができる。
【００２１】
請求項５記載の発明の電子黒板装置は、操作手段からの操作に応じて、搬送可能で描画情報が消去可能に記載される筆記シートを搬送する搬送動作、当該筆記シート上の描画情報を所定の読取手段に読み取らせる読取動作、当該筆記シート上の描画情報を消去する消去動作等の各種動作処理を行う電子黒板装置において、前記電子黒板装置をネットワークに接続するネットワークインターフェイスと、当該ネットワークに接続されたネットワーク端末との間で所定のコマンドを交換して、当該ネットワーク端末との間でデータの交換を行う制御手段と、を備えることにより、上記目的を達成している。
【００２２】
上記構成によれば、ネットワークインターフェイスによりネットワークに接続されたネットワーク端末との間で所定のコマンドを交換して、ネットワーク端末との間でデータの交換を行うので、電子黒板装置の機能を拡張して、利用性を向上させることができる。
【００２３】
この場合、例えば、請求項６に記載するように、前記制御手段は、前記ネットワークに接続された前記ネットワーク端末との間で所定のコマンドを交換して、当該ネットワーク端末からのコマンドに応じて前記電子黒板装置の備えている前記各種処理動作を制御してもよい。
【００２４】
上記構成によれば、ネットワークに接続されたネットワーク端末との間で所定のコマンドを交換して、当該ネットワーク端末からのコマンドに応じて電子黒板装置の備えている各種処理動作を制御するので、いちいち電子黒板装置のところまで行かなくてもネットワークを介して電子黒板装置に接続されたネットワーク端末から電子黒板装置の動作を制御することができ、電子黒板装置の機能を拡張させることができるとともに、電子黒板装置の利用性を向上させることができる。
【００２５】
また、例えば、請求項７に記載するように、前記ネットワークには、所定の記録装置が接続され、前記制御手段は、前記操作手段からの操作あるいは前記ネットワークに接続された前記ネットワーク端末からのコマンドに応じて、前記ネットワークに接続された前記記録装置で前記描画情報を記録出力させるのに必要な各種制御処理を行って、前記読取手段の読み取った前記描画情報を前記ネットワークに接続された前記記録装置に転送して、当該記録装置で前記描画情報を記録出力させるものであってもよい。
【００２６】
上記構成によれば、操作手段からの操作あるいはネットワークに接続されたネットワーク端末からのコマンドに応じて、読取手段の読み取った描画情報をネットワークに接続された記録装置に転送して、当該記録装置で描画情報を記録出力させるので、電子黒板装置の利用目的や記録した描画情報の用途等に応じてネットワークに接続された適切な記録装置を利用して、描画情報を記録することができ、電子黒板装置を安価でかつ利用性のより一層良好なものとすることができる。
【発明の効果】
【００２７】
請求項１記載の発明の電子黒板装置によれば、記録装置インターフェイスを介して、通常の記録装置を着脱可能に接続し、読取手段の読み取った筆記シート上の描画情報を記録装置インターフェイスに接続された記録装置で記録出力させるので、電子黒板装置の利用目的や記録した描画情報の用途等に応じて適切な市販の記録装置を接続して、描画情報を記録させることができ、電子黒板装置を安価でかつ利用性の良好なものとすることができる。
【００２８】
請求項２記載の発明の電子黒板装置によれば、コンピュータインターフェイスに接続されたコンピュータからのコマンドに応じて電子黒板装置の備えている各種処理動作を制御するので、いちいち電子黒板装置のところまで行かなくても電子黒板装置に接続されたコンピュータから電子黒板装置の動作を制御することができ、電子黒板装置の機能を拡張させることができるとともに、電子黒板装置の利用性を向上させることができる。
【００２９】
請求項３記載の発明の電子黒板装置によれば、電子黒板装置の操作手段からの操作あるいはコンピュータインターフェイスに接続されたコンピュータからのコマンドに応じて、読取手段の読み取った描画情報をコンピュータに接続された記録装置で記録出力するので、電子黒板装置の利用目的や記録した描画情報の用途等に応じてコンピュータに接続された適切な記録装置を利用して、描画情報を記録させることができ、電子黒板装置を安価でかつ利用性のより一層良好なものとすることができる。
【００３０】
請求項４記載の発明の電子黒板装置によれば、操作手段からの操作あるいはコンピュータからコマンドに応じて、読取手段の読み取った描画情報をコンピュータで編集可能なデータ形式に変換した後、コンピュータに転送するので、電子黒板装置に記載された描画情報を議事録としての書式に合わせたり、必要な記述を追記することができ、電子黒板装置の利用性をより一層向上させることができる。
【００３１】
請求項５記載の発明の電子黒板装置によれば、ネットワークインターフェイスによりネットワークに接続されたネットワーク端末との間で所定のコマンドを交換して、ネットワーク端末との間でデータの交換を行うので、電子黒板装置の機能を拡張して、利用性を向上させることができる。
【００３２】
請求項６記載の発明の電子黒板装置によれば、ネットワークに接続されたネットワーク端末との間で所定のコマンドを交換して、当該ネットワーク端末からのコマンドに応じて電子黒板装置の備えている各種処理動作を制御するので、いちいち電子黒板装置のところまで行かなくてもネットワークを介して電子黒板装置に接続されたネットワーク端末から電子黒板装置の動作を制御することができ、電子黒板装置の機能を拡張させることができるとともに、電子黒板装置の利用性を向上させることができる。
【００３３】
請求項７記載の発明の電子黒板装置によれば、操作手段からの操作あるいはネットワークに接続されたネットワーク端末からのコマンドに応じて、読取手段の読み取った描画情報をネットワークに接続された記録装置に転送して、当該記録装置で描画情報を記録出力させるので、電子黒板装置の利用目的や記録した描画情報の用途等に応じてネットワークに接続された適切な記録装置を利用して、描画情報を記録することができ、電子黒板装置を安価でかつ利用性のより一層良好なものとすることができる。
【発明を実施するための最良の形態】
【００３４】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３５】
図１は、本発明の電子黒板装置の第１の実施の形態を適用した電子黒板装置１の要部ブロック構成図である。
【００３６】
図１において、電子黒板装置１は、制御部２、筆記シート３、駆動部４、イメージセンサ５、画像処理部６、記憶部７、記録装置標準インターフェイス（Ｉ／Ｆ）８及び操作パネル９等を備え、記録装置標準インターフェイス８には、記録装置標準インターフェイス８を利用して接続可能な標準の記録装置１０が適宜接続される。
【００３７】
筆記シート３は、所定の膜部材により通常リング状に形成され、文字や図形等の描画情報が描画されるとともに、描画された描画情報を図示しない消去機構により消去可能となっている。
【００３８】
駆動部４は、リング状の筆記シート３を回転可能に支持する複数のローラと、当該ローラをギヤ機構を介してモータにより回転駆動させる駆動機構と、を備え、筆記シート３を所定の搬送速度で搬送する。
【００３９】
イメージセンサ（読取手段）５は、駆動部４により搬送される筆記シート３に図示しない光源から光を照射して、筆記シート３上に描画されている描画情報を主走査し、アナログの電気信号に変換して、画像処理部６に出力する。
【００４０】
画像処理部６は、イメージセンサ５から入力されるアナログの電気信号に所定の画像処理を施した後、２値のデジタル画信号（２値画像データ）に変換して、制御部２に出力する。
【００４１】
制御部（制御手段）２は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を備え、ＲＯＭ内のプログラムに基づいて、ＲＡＭをワークメモリとして使用しつつ電子黒板装置１の各部を制御して、電子黒板装置１としての基本処理を実行するとともに、記録装置標準インターフェイス８に接続させた記録装置１０に描画情報を転送して、記録出力させるのに必要な記録制御処理を行う。特に、制御部２は、画像処理部６から入力される２値画像データを記憶部７に転送して、記憶部７に記憶させるとともに、後述する記録装置１０で２値画像データを記録させるのに必要であれば、画像処理部６からの２値画像データあるいは記憶部７からの２値画像データを記録装置１０で記録可能なデータ形式に変換し、記録装置標準インターフェイス８を介して記録装置１０に画像データを送信するとともに、記録装置１０で当該画像データを記録させるための記録命令コマンドを記録装置標準インターフェイス８を介して記録装置１０に送信する。
【００４２】
記憶部７は、例えば、半導体メモリあるいはハードディスク等で構成され、制御部２の制御下で、制御部２を介して画像処理部６からの２値画像データあるいは制御部２でデータ形式の変換された画像データを記憶し、また、制御部２により読み取られる。
【００４３】
操作パネル９は、電子黒板装置１の操作者が筆記シート３の搬送、描画情報の読取、描画情報の記録及び描画情報の消去等の各種操作を行うための複数のボタンを備え、ボタン操作の結果を制御部２に出力する。
【００４４】
記録装置標準インターフェイス（記録装置インターフェイス）８は、例えば、双方向セントロニクスインターフェイス、ＲＳ−２３２Ｃインターフェイス等の記録装置のインターフェイスとして標準的に用いられているインターフェイスが用いられ、この記録装置標準インターフェイス８に、普通紙に記録可能なレーザー記録装置やインク噴射式記録装置等、あるいは、感熱紙に記録可能な感熱式記録装置等の標準的な記録装置１０が交換可能に接続される。
【００４５】
次に、本実施の形態の作用を説明する。電子黒板装置１は、記録装置標準インターフェイス８を備えることにより、種々の記録装置１０を交換可能に接続して、電子黒板装置１の利用者の意図する記録装置１０で描画情報を記録できるところにその特徴がある。
【００４６】
電子黒板装置１は、会議等で使用され、記録装置標準インターフェイス８に、この会議の目的や電子黒板装置１の筆記シート３に記載された描画情報の必要性及び利用目的等に適した記録装置１０が適宜接続される。
【００４７】
電子黒板装置１は、筆記シート３上に文字や図形等の描画情報が所定の筆記用具で描かれ、筆記シート３上に描かれた描画情報を図示しない消去機構により適宜消去することができる。
【００４８】
そして、電子黒板装置１は、筆記シート３に描画された描画情報の記録出力が操作パネル９で操作されると、制御部２は、駆動部４を制御して、筆記シート３の搬送を開始して、筆記シート３の描画情報の描かれた部分をイメージセンサ５に搬送する。イメージセンサ５は、筆記シート３の描画情報の描かれた部分が搬送されてくると、図示しない光源から光を照射して、筆記シート３上の描画情報を読み取って、アナログの電気信号として画像処理部６に出力し、画像処理部６は、このアナログの電気信号に所定の画像処理を施した後、２値のディジタル画信号である２値画像データに変換して、制御部２に出力する。
【００４９】
制御部２は、画像処理部６から転送されてきた２値画像データを必要に応じて記憶部７に記憶し、記録装置標準インターフェイス８を介して記録装置標準インターフェイス８に接続された記録装置１０に当該記録装置１０に対応した記録命令とともに画像データを出力して、記録装置１０に描画情報を記録出力させる。制御部２は、このとき必要に応じて２値画像データを記録装置１０に適したデータ形式に変換して、記録装置標準インターフェイス８を介して記録装置１０に転送し、記録装置１０に描画情報の記録を行わせる。
【００５０】
このように、本実施の形態の電子黒板装置１は、記録装置標準インターフェイス８を介して、通常の記録装置１０を着脱可能に接続し、イメージセンサ５の読み取った筆記シート３上の描画情報を記録装置標準インターフェイス８に接続された記録装置１０で記録出力させている。
【００５１】
したがって、電子黒板装置１の利用目的や記録した描画情報の用途等に応じて適切な市販の記録装置１０を接続して、描画情報を記録させることができ、電子黒板装置１を安価でかつ利用性の良好なものとすることができる。
【００５２】
図２及び図３は、本発明の電子黒板装置の第２の実施の形態を示す図であり、図２は、本発明の電子黒板装置の第２の実施の形態を適用した電子黒板装置２０の要部ブロック構成図である。
【００５３】
本実施の形態は、上記第１の実施の形態と同様の電子黒板装置１と同様の電子黒板装置に適用したものであり、本実施の形態の説明においては、上記第１の実施の形態と同様の構成部分については、同一の符号を付して、その説明を省略する。
【００５４】
図２において、電子黒板装置２０は、上記第１の実施の形態の電子黒板装置１と同様の制御部２、筆記シート３、駆動部４、イメージセンサ５、画像処理部６、記憶部７、記録装置標準インターフェイス８、操作パネル９を備えるとともに、ＰＣインターフェイス（Ｉ／Ｆ）２１及び描画機構２２等を備え、記録装置標準インターフェイス８には、上記第１の実施の形態と同様に、記録装置標準インターフェイス８で接続可能な標準の記録装置１０が接続される。
【００５５】
ＰＣインターフェイス（コンピュータインターフェイス）２１には、図示しない接続ケーブルを介して図示しないパーソナルコンピュータ（ＰＣ）が接続され、パーソナルコンピュータには、図示しないが所定の記録装置、例えば、高機能なレーザープリンタ等が接続されている。パーソナルコンピュータは電子黒板装置２０との間で所定のコマンドを交換して画像データを授受し、電子黒板装置２０から受け取った画像データに必要な編集を行った後、画像データを電子黒板装置２０に転送するとともに、電子黒板装置２０の各種動作を指示するコマンドを電子黒板装置２０に出力して、電子黒板装置２０に各種動作を行わせる。
【００５６】
描画機構２２は、筆記シート３の表面に近接して配設され、制御部２の制御下で動作して、例えば、ホットメルトインクを使用したインク噴射プリント方式により筆記シート３上に画像を描画する。描画機構２２としては、インク噴射プリント方式に限るものではなく、種々の方式のものを用いることができる。
【００５７】
制御部２は、ＰＣインターフェイス２１に接続されたパーソナルコンピュータと所定のコマンドを交換して、パーソナルコンピュータとの間で画像データを授受するとともに、パーソナルコンピュータからの制御コマンドを受け付けて、電子黒板装置２０の各部を制御して、電子黒板装置２０としての各種動作処理を行う。また、制御部２は、操作パネル９の操作により、また、ＰＣインターフェイス２１に接続されたパーソナルコンピュータからの制御コマンドにより、パーソナルコンピュータに接続された記録装置への描画情報の記録出力が指示されると、当該指示に応じて画像データを必要なデータ形式の変換を行った後、パーソナルコンピュータに転送して、パーソナルコンピュータに接続された記録装置で描画情報を記録出力させる。さらに、制御部２は、描画機構２２を制御して、パーソナルコンピュータから転送されてきた画像データに基づいて、筆記シート３に画像を新たに描画し、あるいは、筆記シート３上の描画情報に追記する。
【００５８】
次に９本実施の形態の作用を説明する。電子黒板装置２０は、記録装置標準インターフェイス８に、この会議の目的や電子黒板装置１の筆記シート３に記載された描画情報の必要性及び利用目的等に適した記録装置１０が接続され、制御部２は、第１の実施の形態と同様に、記録装置標準インターフェイス８に接続された記録装置１０に対応した記録命令とともに画像データを出力して、記録装置１０に描画情報を記録出力させるとともに、パーソナルコンピュータに接続された記録装置で描画情報を記録出力させ、また、パーソナルコンピュータからの画像データに基づいて描画機構２２により筆記シート３上に画像を描画する。
【００５９】
すなわち、電子黒板装置２０は、待機状態において、制御部２が、図３に示すように、操作パネル９で筆記シート３の読取が指示されるかチェックし（ステップＳ１０１）、読取が指示されると、駆動部４を動作させて筆記シート３上の描画情報の描画された部分をイメージセンサ５に搬送して、イメージセンサ５により筆記シート３上の描画情報を読み取らせる（ステップＳ１０２）。
【００６０】
制御部２は、描画情報の読み取りを開始すると、パーソナルコンピュータがＰＣインターフェイス２１に接続されているかチェックし（ステップＳ１０３）、パーソナルコンピュータが接続されていないときには、記録装置標準インターフェイス８に接続された電子黒板装置２０側の記録装置である記録装置１０で記録出力すると判断して、上記第１の実施の形態と同様に、画像データを記録装置標準インターフェイス８を介して記録装置１０に出力して、記録装置１０で描画情報を記録出力させる（ステップＳ１０４）。
【００６１】
ステップＳ１０３で、パーソナルコンピュータが接続されているときには、制御部２は、パーソナルコンピュータ側からの制御があるかチェックし（ステップＳ１０５）、パーソナルコンピュータ側からの制御があるときには、制御権を渡して（ステップＳ１０６）、パーソナルコンピュータ側に画像データを出力するかどうかチェックする（ステップＳ１０７）。ステップＳ１０５で、パーソナルコンピュータ側からの制御がないときには、制御権をパーソナルコンピュータに渡すことなく、パーソナルコンピュータ側に画像データを出力するかチェックする（ステップＳ１０７）。
【００６２】
ステップＳ１０７で、パーソナルコンピュータへ画像データを出力しないときには、制御部２は、上記同様に、画像データを記録装置標準インターフェイス８を介して記録装置１０に出力して、記録装置１０で描画情報を記録出力させる（ステップＳ１０４）。
【００６３】
ステップＳ１０７で、パーソナルコンピュータへ画像データを出力するときには、制御部２は、描画情報の編集を行うかチェックし（ステップＳ１０８）、編集を行うときには、必要な編集、例えば、パーソナルコンピュータで処理可能なデータ形式に編集を行った後、画像データをＰＣインターフェイス２１を介してパーソナルコンピュータに転送して、パーソナルコンピュータに接続された記録装置により描画情報を記録出力させる（ステップＳ１１０）。ステップＳ１０８で、描画情報の編集を行わないときには、画像データをそのままＰＣインターフェイス２１を介してパーソナルコンピュータに転送して、パーソナルコンピュータに接続された記録装置により描画情報を記録出力させる（ステップＳ１１０）。
【００６４】
制御部２は、パーソナルコンピュータ側の記録装置あるいは記録装置標準インターフェイス８に接続された記録装置１０での描画情報の記録が完了すると（ステップＳ１１０、Ｓ１０４）、電子黒板装置２０の動作処理が終了したかチェックし、終了していないときには、ステップＳ１０１に戻って、上記同様に処理する（ステップＳ１０１〜ステップＳ１１１）。ステップＳ１１１で、動作終了であると、制御部２は、動作を終了する。
【００６５】
このように、本実施の形態の電子黒板装置２０は、操作パネル９からの操作あるいはＰＣインターフェイス２１に接続されたコンピュータからのコマンドに応じて、イメージセンサ５の読み取った描画情報をコンピュータに接続された記録装置で記録出力している。
【００６６】
したがって、電子黒板装置２０の利用目的や記録した描画情報の用途等に応じてコンピュータに接続された適切な記録装置を利用して、描画情報を記録させることができ、電子黒板装置２０を安価でかつ利用性のより一層良好なものとすることができる。
【００６７】
また、電子黒板装置２０は、パーソナルコンピュータから電子黒板装置２０の動作処理を指示する制御コマンドがＰＣインターフェイス２１を介して入力されると、制御部２は、当該制御コマンドの指定する動作処理、例えば、筆記シート３の搬送動作、筆記シート３上の描画情報の読取動作、筆記シート３上の描画情報の消去動作、被記録材３上の描画情報の記録動作等の電子黒板装置２０の備えている各種動作処理を行う。
【００６８】
したがって、いちいち電子黒板装置２０のところまで行かなくても電子黒板装置２０に接続されたパーソナルコンピュータから電子黒板装置２０の動作を制御することができ、電子黒板装置２０の機能を拡張させることができるとともに、電子黒板装置２０の利用性を向上させることができる。
【００６９】
さらに、電子黒板装置２０は、パーソナルコンピュータに画像データを転送して、パーソナルコンピュータでの画像の編集を可能としている。すなわち、電子黒板装置２０は、パーソナルコンピュータからの要求により画像データをパーソナルコンピュータに転送するに際して、パーソナルコンピュータで処理可能なデータ形式にデータ変換して、パーソナルコンピュータに画像データを転送している。このとき、制御部２は、例えば、上記ステップＳ１０９の編集処理で、記憶部７を利用して、描画情報の文字部分の２値画像データをキャラクタ変換したり、描画情報の画像部分の２値画像データを所定の図形データに変換し、当該変換後の画像データをパーソナルコンピュータに転送する。
【００７０】
なお、この場合、イメージセンサ５自体がＯＣＲ（Ｏｐｔｉｃａｌ  Ｃｈａｒａｃｔｅｒ  Ｒｅａｄｅｒ）機能を有している場合は、イメージセンサ５で筆記シート３を読み取る際に、文字部分については、キャラクタデータに変換し、また、画像部分については、所定の図形データに変換するようにしてもよい。
【００７１】
したがって、電子黒板装置２０の筆記シート３上に記載された描画情報を議事録としての書式に合わせたり、必要な記述を追記することができ、電子黒板装置２０の利用性をより一層向上させることができる。
【００７２】
また、電子黒板装置２０は、ＰＣインターフェイス２１を介してパーソナルコンピュータから受信した画像データに基づいて筆記シート３上に画像を描画する。すなわち、電子黒板装置２０は、ＰＣインターフェイス２１を介してパーソナルコンピュータから描画コマンドとともに画像データを受信すると、制御部２は、当該描画コマンドに応じて、描画機構２２を駆動させ、既に筆記シート３上に記載されている描画情報に追記する状態で、あるいは、白紙の状態の筆記シート３上に新たにパーソナルコンピュータから受信した画像データに基づいて画像を描画させる。
【００７３】
したがって、電子黒板装置２０の機能を拡張することができ、電子黒板装置２０の利用性をより一層向上させることができる。
【００７４】
図４及び図５は、本発明の電子黒板装置の第３の実施の形態を示す図であり、図４は、本発明の電子黒板装置の第３の実施の形態を適用した電子黒板装置３０の要部ブロック構成図である。
【００７５】
本実施の形態は、上記第１の実施の形態と同様の電子黒板装置１と同様の電子黒板装置に適用したものであり、本実施の形態の説明においては、上記第１の実施の形態と同様の構成部分については、同一の符号を付して、その説明を省略する。
【００７６】
図４において、電子黒板装置３０は、上記第１の実施の形態の電子黒板装置１と同様の制御部２、筆記シート３、駆動部４、イメージセンサ５、画像処理部６、記憶部７、記録装置標準インターフェイス８、操作パネル９を備えるとともに、ＬＡＮ（Ｌｏｃａｌ  Ａｒｅａ  Ｎｅｔｗｏｒｋ）インターフェイス（Ｉ／Ｆ）３１及び描画機構３２等を備え、記録装置標準インターフェイス８には、上記第１の実施の形態と同様に、記録装置標準インターフェイス８で接続可能な標準の記録装置１０が接続される。
【００７７】
ＬＡＮインターフェイス３１には、図示しないＬＡＮケーブルを介して図示しないパーソナルコンピュータ等のＬＡＮ情報処理端末（ネットワーク端末）や記録装置等のＬＡＮ端末装置が接続され、記録装置としては、ＬＡＮ上で動作する種々の記録装置、例えば、高機能なレーザープリンタや安価なインク噴射式記録装置等が接続されている。ＬＡＮに接続されたパーソナルコンピュータ等のＬＡＮ情報処理端末は電子黒板装置３０との間で所定のコマンドを交換して画像データを授受し、電子黒板装置３０から受け取った画像データに必要な編集を行った後、画像データを電子黒板装置３０に転送するとともに、電子黒板装置３０の各種動作を指示するコマンドを電子黒板装置３０に出力して、電子黒板装置３０に各種動作を行わせる。
【００７８】
描画機構３２は、上記第２の実施の形態の描画機構と同様のものであり、筆記シート３の表面に近接して配設されて、制御部２の制御下で動作して、例えば、ホットメルトインクを使用したインク噴射プリント方式により筆記シート３上に画像を描画する。描画機構３２としては、インク噴射プリント方式に限るものではなく、種々の方式のものを用いることができる。
【００７９】
制御部２は、ＬＡＮインターフェイス３１に接続されたＬＡＮ上のＬＡＮ情報処理端末と所定のコマンドを交換して、ＬＡＮ情報処理端末との間で画像データを授受するとともに、ＬＡＮ情報処理端末からの制御コマンドを受け付けて、電子黒板装置３０の各部を制御して、電子黒板装置３０としての各種動作を行う。また、制御部２は、操作パネル９の操作により、また、ＬＡＮインターフェイス３１に接続されたＬＡＮ情報処理端末からの制御コマンドにより、ＬＡＮに接続された記録装置への描画情報の記録出力が指示されると、当該指示に応じて画像データを必要なデータ形式の変換を行った後、ＬＡＮ上の記録装置に転送して、ＬＡＮ上の記録装置で描画情報を記録出力させる。さらに、制御部２は、描画機構３２を制御して、ＬＡＮ情報処理端末から転送されてきた画像データに基づいて、筆記シート３に画像を新たに描画し、あるいは、筆記シート３上の描画情報に追記する。
【００８０】
次に、本実施の形態の作用を説明する。電子黒板装置３０は、記録装置標準インターフェイス８に、会議の目的や電子黒板装置１の筆記シート３に記載された描画情報の必要性及び利用目的等に適した記録装置１０が接続され、制御部２は、第１の実施の形態と同様に、記録装置標準インターフェイス８に接続された記録装置１０に対応した記録命令とともに画像データを出力して、記録装置１０に描画情報を記録出力させるとともに、ＬＡＮに接続された記録装置で描画情報を記録出力させ、また、ＬＡＮ上のＬＡＮ情報処理端末からの画像データに基づいて描画機構３２により筆記シート３上に画像を描画する。
【００８１】
すなわち、電子黒板装置３０は、待機状態において、制御部２が、図５に示すように、操作パネル９で筆記シート３の読取が指示されるかチェックし（ステップＳ２０１）、読取が指示されると、駆動部４を動作させて筆記シート３上の描画情報の描画された部分をイメージセンサ５に搬送して、イメージセンサ５により筆記シート３上の描画情報を読み取らせる（ステップＳ２０２）。
【００８２】
制御部２は、描画情報の読み取りを開始すると、ＬＡＮインターフェイス３１にＬＡＮケーブルが接続されているかチェックし（ステップＳ２０３）、電子黒板装置３０がＬＡＮに接続されていないときには、記録装置標準インターフェイス８に接続された電子黒板装置３０側の記録装置である記録装置１０で記録出力すると判断して、上記第１の実施の形態と同様に、画像データを記録装置標準インターフェイス８を介して記録装置１０に出力して、記録装置１０で描画情報を記録出力させる（ステップＳ２０４）。
【００８３】
ステップＳ２０３で、ＬＡＮインターフェイス３１にＬＡＮケーブルが接続されているときには、制御部２は、ＬＡＮ側からの制御があるか、すなわち、ＬＡＮ情報処理端末からの制御があるかチェックし（ステップＳ２０５）、ＬＡＮ情報処理端末側からの制御があるときには、制御権を当該ＬＡＮ情報処理端末に渡して（ステップＳ２０６）、ＬＡＮ情報処理端末側に画像データを出力するかどうかチェックする（ステップＳ２０７）。ステップＳ２０５で、ＬＡＮ情報処理端末側からの制御がないときには、制御権をＬＡＮ情報処理端末に渡すことなく、ＬＡＮ側、すなわち、ＬＡＮに接続された記録装置で描画情報を記録出力するかチェックする（ステップＳ２０７）。
【００８４】
ステップＳ２０７で、ＬＡＮ側に画像データを出力しないときには、制御部２は、上記同様に、画像データを記録装置標準インターフェイス８を介して記録装置１０に出力して、記録装置１０で描画情報を記録出力させる（ステップＳ２０４）。
【００８５】
ステップＳ２０７で、ＬＡＮ側に画像データを出力するときには、制御部２は、必要に応じて画像データの編集を行った後、例えば、ＬＡＮに接続された記録装置で記録出力可能なデータ形式に編集を行った後、画像データをＬＡＮインターフェイス３１を介してＬＡＮに接続された記録装置に転送して、当該記録装置により描画情報を記録出力させる（ステップＳ２０８）。
【００８６】
制御部２は、ＬＡＮ側の記録装置あるいは記録装置標準インターフェイス８に接続された記録装置１０での描画情報の記録が完了すると（ステップＳ２０８、Ｓ２０４）、電子黒板装置３０の動作処理が終了したかチェックし、終了していないときには、ステップＳ２０１に戻って、上記同様に処理する（ステップＳ２０１〜ステップＳ２０９）。ステップＳ２０９で、動作終了であると、制御部２は、動作を終了する。
【００８７】
このように、本実施の形態の電子黒板装置３０は、ＬＡＮインターフェイス３１によりＬＡＮに接続されたＬＡＮ情報処理端末との間で所定のコマンドを交換して、ＬＡＮ情報処理端末との間でデータの交換を行っている。
【００８８】
したがって、電子黒板装置３０の機能を拡張して、利用性を向上させることができる。
【００８９】
また、電子黒板装置３０は、ＬＡＮ情報処理端末から電子黒板装置３０の動作処理を指示する制御コマンドがＬＡＮインターフェイス３１を介して入力されると、制御部２は、当該制御コマンドの指定する動作処理、例えば、筆記シート３の搬送動作、筆記シート３上の描画情報の読取動作、筆記シート３上の描画情報の消去動作、被記録材３上の描画情報の記録動作等の電子黒板装置３０の備えている各種動作処理を行う。
【００９０】
したがって、いちいち電子黒板装置３０のところまで行かなくてもＬＡＮを介して電子黒板装置３０に接続されたＬＡＮ情報処理端末から電子黒板装置３０の動作を制御することができ、電子黒板装置３０の機能を拡張させることができるとともに、電子黒板装置３０の利用性を向上させることができる。
【００９１】
さらに、電子黒板装置３０は、ＬＡＮ情報処理端末に画像データを転送して、当該ＬＡＮ情報処理端末での画像の編集を可能としている。すなわち、電子黒板装置３０は、ＬＡＮ情報処理端末からの要求により画像データを当該ＬＡＮ情報処理端末に転送するに際して、ＬＡＮ情報処理端末の処理可能なデータ形式にデータ変換して、ＬＡＮ情報処理端末に画像データを転送している。すなわち、制御部２は、画像データをＬＡＮ情報処理端末に転送するに際して、記憶部７を利用して、例えば、描画情報の文字部分の２値画像データをキャラクタ変換したり、描画情報の画像部分の２値画像データを所定の図形データに変換し、当該変換後の画像データをＬＡＮ情報処理端末に転送する。
【００９２】
なお、この場合、イメージセンサ５自体がＯＣＲ（Ｏｐｔｉｃａｌ  Ｃｈａｒａｃｔｅｒ  Ｒｅａｄｅｒ）機能を有している場合は、イメージセンサ５で筆記シート３を読み取る際に、文字部分については、キャラクタデータに変換し、また、画像部分については、所定の図形データに変換するようにしてもよい。
【００９３】
したがって、電子黒板装置３０に記載された描画情報を議事録としての書式に合わせたり、必要な記述を追記することができ、電子黒板装置３０の利用性をより一層向上させることができる。
【００９４】
また、電子黒板装置３０は、ＬＡＮインターフェイス３１を介してＬＡＮ情報処理端末から受信した画像データに基づいて筆記シート３上に画像を描画する。すなわち、電子黒板装置３０は、ＬＡＮインターフェイス３１を介してＬＡＮ情報処理端末から描画コマンドとともに画像データを受信すると、制御部２は、当該描画コマンドに応じて、描画機構３２を駆動させ、既に筆記シート３上に記載されている描画情報に追記する状態で、あるいは、白紙の状態の筆記シート３上に新たにパーソナルコンピュータから受信した画像データに基づいて画像を描画させる。
【００９５】
したがって、電子黒板装置３０の機能を拡張することができ、電子黒板装置３０の利用性をより一層向上させることができる。
【００９６】
さらに、電子黒板装置３０は、操作パネル９からの操作あるいはＬＡＮに接続されたＬＡＮ情報処理端末からのコマンドに応じて、イメージセンサ５の読み取った描画情報をＬＡＮに接続された記録装置に転送して、当該記録装置で描画情報を記録出力させている。
【００９７】
したがって、電子黒板装置３０の利用目的や記録した描画情報の用途等に応じてＬＡＮに接続された適切な記録装置を利用して、描画情報を記録することができ、電子黒板装置３０を安価でかつ利用性のより一層良好なものとすることができる。
【００９８】
図６は、本発明の電子黒板装置の第４の実施の形態を適用した電子黒板装置４０の要部ブロック構成図である。
【００９９】
本実施の形態は、上記第１の実施の形態と同様の電子黒板装置１と同様の電子黒板装置に適用したものであり、本実施の形態の説明においては、上記第１の実施の形態と同様の構成部分については、同一の符号を付して、その説明を省略する。
【０１００】
図６において、電子黒板装置４０は、上記第１の実施の形態の電子黒板装置１と同様の制御部２、筆記シート３、駆動部４、イメージセンサ５、画像処理部６、記憶部７、操作パネル９を備えるとともに、データ形式変換部４１及び記録部４２等を備えている。
【０１０１】
データ形式変換部４１には、電子黒板装置４０の組立時に、電子黒板装置４０のユーザの要望、用途、電子黒板装置４０のグレード等に応じて、適宜の記録部４２が接続され、データ形式変換部４１は、制御部２の制御下で、当該接続された記録部４２で描画情報を記録出力するのに必要なデータ形式に画像データのデータ形式を変換して、記録部４２に出力する。
【０１０２】
記録部４２は、上述のように、電子黒板装置４０の組立時に、電子黒板装置４０のユーザの要望、用途、電子黒板装置４０のグレード等に応じて適宜選択された記録装置が記録部４２として接続・組み付けられ、この記録部４２としては、例えば、従来の電子黒板装置に一般的に取り付けられていた感熱式記録装置、あるいは、インク噴射式プリンタ、高品質の記録が可能なレーザープリンタ、また、ソート機能やステイプル機能（ホチキス止め機能）を有したプリンタ等の種々の機能を有した記録装置が適宜選択して接続される。
【０１０３】
本実施の形態の電子黒板装置４０は、電子黒板装置４０の組立時に、電子黒板装置４０の用途等に応じて適宜適切な記録部４２を接続して、電子黒板装置４０として組み立てられ、当該組み立てられた電子黒板装置４０は、記録部４２での描画情報の記録に必要なデータ形式の変換処理を制御部２の制御下でデータ形式変換部４１が行う。
【０１０４】
すなわち、電子黒板装置４０は、記録部４２として、ユーザの要望に応じて適宜の記録部４２を接続して組み立てられ、この記録部４２の種類が操作パネル９等から設定登録操作されると、制御部２は、当該記録部４２の種別を内部ＲＡＭ等に登録する。電子黒板装置４０は、上記適宜の記録部４２が接続されて当該接続された記録部４２の種別が登録された状態でユーザに提供される。
【０１０５】
電子黒板装置４０は、上記状態でユーザに提供されて、ユーザの操作パネル９の操作により筆記シート３上の描画情報の記録出力が操作されると、制御部２がデータ形式変換部４１に記録部４２の種別に対応したデータ変換を行わせて、記録部４２で描画情報を記録出力させる。
【０１０６】
したがって、記録部４２として、感熱式記録装置を接続すると、小型で安価な電子黒板装置４０を提供することができ、また、レーザープリンタやインク噴射式プリンタを記録部４２として接続すると、普通記録紙に高品質な記録を行うことができる。さらに、記録部４２としてソート機能やステイプル機能等の各種機能を備えた記録装置を接続すると、会議の議事録としてそのまま会議の場で必要な部数を配布することができ、電子黒板装置４０の利用性を向上させることができる。
【０１０７】
なお、本実施の形態において、電子黒板装置４０に記録部４２を電子黒板装置４０の組立時に固定的に接続するのではなく、データ形式変換部４１にコネクタを設け、ユーザが適宜必要な記録装置を接続できるようにしてもよい。このようにすると、ユーザは、電子黒板装置４０の用途等に応じて、適宜必要な記録装置を接続して利用することができ、電子黒板装置４０の利用性を向上させることができるとともに、電子黒板装置４０自体に記録部４２を設ける必要がないため、安価な電子黒板装置４０を提供することができる。
【０１０８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【図面の簡単な説明】
【０１０９】
【図１】本発明の電子黒板装置の第１の実施の形態を適用した電子黒板装置の要部ブロック構成図。
【図２】本発明の電子黒板装置の第２の実施の形態を適用した電子黒板装置の要部ブロック構成図。
【図３】図２の電子黒板装置による記録制御処理を示すフローチャート。
【図４】本発明の電子黒板装置の第３の実施の形態を適用した電子黒板装置の要部ブロック構成図。
【図５】図４の電子黒板装置による記録制御処理を示すフローチャート。
【図６】本発明の電子黒板装置の第４の実施の形態を適用した電子黒板装置の要部ブロック構成図。
【図７】従来の電子黒板装置の要部ブロック構成図。
【符号の説明】
【０１１０】
１  電子黒板装置
２  制御部
３  筆記シート
４  駆動部
５  イメージセンサ
６  画像処理部
７  記憶部
８  記録装置標準インターフェイス（Ｉ／Ｆ）
９  操作パネル
１０  記録装置
２０  電子黒板装置
２１  ＰＣインターフェイス（Ｉ／Ｆ）
２２  描画機構
３０  電子黒板装置
３１  ＬＡＮインターフェイス（Ｉ／Ｆ）
３２  描画機構
４０  電子黒板装置
４１  データ形式変換部
４２  記録部
【図１】
2007043748.tif 000003
【図２】
2007043748.tif 000004
【図３】
2007043748.tif 000005
【図４】
2007043748.tif 000006
【図５】
2007043748.tif 000007
【図６】
2007043748.tif 000008
【図７】
2007043748.tif 000009